【手続補正書】
【提出日】平成16年12月10日(2004.12.10)
【手続補正１】
【補正対象書類名】明細書
【補正対象項目名】特許請求の範囲
【補正方法】変更
【補正の内容】
【特許請求の範囲】
【請求項１】
音声素片を符号化する第１符号化工程と、
前記第１符号化工程で生成された符号化歪を取得する取得工程と、
前記符号化歪が所定の値よりも小さい場合に、前記第１符号化工程で符号化された音声素片を音声素片辞書に格納する格納工程と、
前記符号化歪が所定の閾値よりも大きい場合に、音声素片を符号化する第２符号化工程と、
前記第２符号化ステップで符号化された符号化音声素片を前記音声素片辞書に格納する格納工程と、
を有することを特徴とする音声情報処理方法。
【請求項２】
前記第１符号化工程と前記第２符号化工程では、符号化の量子化ステップ数が異なることを特徴とする請求項１に記載の音声情報処理方法。
【請求項３】
前記第１符号化工程と前記第２符号化工程では、量子化コードブックが異なることを特徴とする請求項１に記載の音声情報処理方法。
【請求項４】
前記第１符号化工程は７ビットμ-law方式を用いて符号化を行い、前記第２符号化工程は８ビットμ-law方式で符号化を行うことを特徴とする請求項１に記載の音声情報処理方法。
【請求項５】
音声データベースに格納された音声素片を用いて量子化コードブックを生成する生成工程と、
前記量子化コードブックを用いて、前記音声データベースに格納された音声素片を符号化する符号化工程と、
前記符号化工程で符号化された音声素片を音声素片辞書に格納する格納工程と、
を有することを特徴とする音声情報処理方法。
【請求項６】
前記生成工程で生成された量子化コードブックを用いて符号化された音声素片を復号化する復号化工程を更に備えたことを特徴とする請求項５に記載の音声情報処理方法。
【請求項７】
複数の符号化方法から音声素片を符号化する符号化方法を選択する選択工程と、
前記選択工程で選択された符号化方法を用いて音声素片を符号化する符号化工程と、
前記符号化工程で符号化された音声素片を音声素片辞書に格納する格納工程とを有し、
前記複数の符号化方法はμ-law方式に対応する符号化方法、スカラ量子化方式に対応する符号化方法及び線形予測符号化方式であることを特徴とする音声情報処理方法。
【請求項８】
音声素片を符号化する第１符号化手段と、
前記第１符号化手段で生成された符号化歪を取得する取得手段と、
前記符号化歪が所定の値よりも小さい場合に、前記第１符号化手段で符号化された音声素片を音声素片辞書に格納する格納手段と、
前記符号化歪が所定の閾値よりも大きい場合に、音声素片を符号化する第２符号化手段と、
前記第２符号化手段で符号化された符号化音声素片を前記音声素片辞書に格納する格納手段と、
を有することを特徴とする音声情報処理装置。
【請求項９】
前記第１符号化手段と前記第２符号化手段では、符号化の量子化ステップ数が異なることを特徴とする請求項８に記載の音声情報処理装置。
【請求項１０】
前記第１符号化手段と前記第２符号化手段では、量子化コードブックが異なることを特徴とする請求項８に記載の音声情報処理装置。
【請求項１１】
前記第１符号化手段は７ビットμ-law方式を用いて符号化を行い、前記第２符号化手段は、８ビットμ-law方式で符号化を行うことを特徴とする請求項８に記載の音声情報処理装置。
【請求項１２】
音声データベースに格納された音声素片を用いて量子化コードブックを生成する生成手段と、
前記量子化コードブックを用いて、前記音声データベースに格納された音声素片を符号化する符号化手段と、
前記符号化手段で符号化された音声素片を音声素片辞書に格納する格納手段と、
を有することを特徴とする音声情報処理装置。
【請求項１３】
前記生成手段で生成された量子化コードブックを用いて符号化された音声素片を復号化する復号化手段を更に備えたことを特徴とする請求項１２に記載の音声情報処理装置。
【請求項１４】
複数の符号化方法から音声素片を符号化する符号化方法を選択する選択手段と、
前記選択手段で選択された符号化方法を用いて音声素片を符号化する符号化手段と、
前記符号化手段で符号化された音声素片を音声素片辞書に格納する格納手段とを有し、
前記複数の符号化方法はμ-law方式に対応する符号化方法、スカラ量子化方式に対応する符号化方法及び線形予測符号化方式であることを特徴とする音声情報処理装置。
【請求項１５】
請求項１乃至７のいずれか１項に記載の音声情報処理方法をコンピュータに実現させるための制御プログラムを格納することを特徴とする記憶媒体。
【手続補正２】
【補正対象書類名】明細書
【補正対象項目名】００１０
【補正方法】変更
【補正の内容】
【００１０】
【課題を解決するための手段】
上記目的を達成するために本発明の音声情報処理方法は以下のような工程を備える。即ち、
音声素片を符号化する第１符号化工程と、
前記第１符号化工程で生成された符号化歪を取得する取得工程と、
前記符号化歪が所定の値よりも小さい場合に、前記第１符号化工程で符号化された音声素片を音声素片辞書に格納する格納工程と、
前記符号化歪が所定の閾値よりも大きい場合に、音声素片を符号化する第２符号化工程と、
前記第２符号化ステップで符号化された符号化音声素片を前記音声素片辞書に格納する格納工程と、
を有することを特徴とする。
【手続補正３】
【補正対象書類名】明細書
【補正対象項目名】００１１
【補正方法】変更
【補正の内容】
【００１１】
上記目的を達成するために本発明の音声情報処理方法は以下のような工程を備える。即ち、
音声データベースに格納された音声素片を用いて量子化コードブックを生成する生成工程と、
前記量子化コードブックを用いて、前記音声データベースに格納された音声素片を符号化する符号化工程と、
前記符号化工程で符号化された音声素片を音声素片辞書に格納する格納工程と、
を有することを特徴とする。
【手続補正４】
【補正対象書類名】明細書
【補正対象項目名】００１２
【補正方法】変更
【補正の内容】
【００１２】
上記目的を達成するために本発明の音声情報処理方法は以下のような工程を備える。即ち、
複数の符号化方法から音声素片を符号化する符号化方法を選択する選択工程と、
前記選択工程で選択された符号化方法を用いて音声素片を符号化する符号化工程と、
前記符号化工程で符号化された音声素片を音声素片辞書に格納する格納工程とを有し、
前記複数の符号化方法はμ-law方式に対応する符号化方法、スカラ量子化方式に対応する符号化方法及び線形予測符号化方式であることを特徴とする。
【手続補正５】
【補正対象書類名】明細書
【補正対象項目名】００１３
【補正方法】削除
【補正の内容】
【手続補正６】
【補正対象書類名】明細書
【補正対象項目名】００１５
【補正方法】変更
【補正の内容】
【００１５】
上記目的を達成するために本発明の音声情報処理装置は以下のような構成を備える。即ち、
音声素片を符号化する第１符号化手段と、
前記第１符号化手段で生成された符号化歪を取得する取得手段と、
前記符号化歪が所定の値よりも小さい場合に、前記第１符号化手段で符号化された音声素片を音声素片辞書に格納する格納手段と、
前記符号化歪が所定の閾値よりも大きい場合に、音声素片を符号化する第２符号化手段と、
前記第２符号化手段で符号化された符号化音声素片を前記音声素片辞書に格納する格納手段と、を有することを特徴とする。
【手続補正７】
【補正対象書類名】明細書
【補正対象項目名】００１６
【補正方法】変更
【補正の内容】
【００１６】
上記目的を達成するために本発明の音声情報処理装置は以下のような構成を備える。即ち、
音声データベースに格納された音声素片を用いて量子化コードブックを生成する生成手段と、
前記量子化コードブックを用いて、前記音声データベースに格納された音声素片を符号化する符号化手段と、
前記符号化手段で符号化された音声素片を音声素片辞書に格納する格納手段と、
を有することを特徴とする。
【手続補正８】
【補正対象書類名】明細書
【補正対象項目名】００１７
【補正方法】変更
【補正の内容】
【００１７】
上記目的を達成するために本発明の音声情報処理装置は以下のような構成を備える。即ち、
複数の符号化方法から音声素片を符号化する符号化方法を選択する選択手段と、
前記選択手段で選択された符号化方法を用いて音声素片を符号化する符号化手段と、
前記符号化手段で符号化された音声素片を音声素片辞書に格納する格納手段とを有し、
前記複数の符号化方法はμ-law方式に対応する符号化方法、スカラ量子化方式に対応する符号化方法及び線形予測符号化方式であることを特徴とする。
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】